(57)【特許請求の範囲】
【請求項１】
室内ユニットが冷媒熱交換器及び温水熱交換器を備え、これらの熱交換器からのドレンを、ドレン配管が接続されたドレンパンで受け、上記ドレン配管を経て排水するよう構成された空気調和装置において、
上記温水熱交換器との間で温水を循環する熱源機へ供給される給水の一部を上記ドレンパンへ導水可能とし、このドレンパン内の給水の貯溜量を検出器で検出することにより、上記ドレン配管内の詰りを検査可能に構成されたことを特徴とする空気調和装置。
【請求項２】
上記ドレン配管の検査は、自動試運転時、または室内ユニットへ指令信号を送信可能なリモートコントローラの操作スイッチの操作時に実施されるよう構成されたことを特徴とする請求項１に記載の空気調和装置。
【請求項３】
室内ユニットが冷媒熱交換器及び温水熱交換器を備え、これらの熱交換器からのドレンを、ドレン配管が接続されたドレンパンで受け、上記ドレン配管を経て排水するよう構成された空気調和装置において、
上記温水熱交換器との間で温水を循環する熱源機へ供給される給水の一部を、上記ドレンパンへ導水可能に構成されたことを特徴とする空気調和装置。
【請求項４】
上記ドレンパン及びドレン配管の洗浄は、室内ユニットへ指令信号を送信可能なリモートコントローラの操作スイッチの操作時に実施されるよう構成されたことを特徴とする請求項３に記載の空気調和装置。
【請求項５】
室内ユニットが冷媒熱交換器及び温水熱交換器を備え、これらの熱交換器からのドレンを、ドレン配管が接続されたドレンパンで受け、上記ドレン配管を経て排水し、このドレン配管の詰りを検査する空気調和装置のドレン配管詰り検査方法において、
上記温水熱交換器との間で温水を循環する熱源機へ供給される給水の一部を上記ドレンパンへ導き、このドレンパン内の給水の貯溜量を検出器で検出することにより、上記ドレン配管内の詰りを検査することを特徴とする空気調和装置のドレン配管詰り検査方法。
【請求項６】
上記ドレン配管の詰り検査は、自動試運転時、または室内ユニットへ指令信号を送信可能なリモートコントローラの操作スイッチの操作時に実施することを特徴とする請求項５に記載の空気調和装置のドレン配管詰り検査方法。
【請求項７】
室内ユニットが冷媒熱交換器及び温水熱交換器を備え、これらの熱交換器からのドレンを、ドレン配管が接続されたドレンパンで受け、上記ドレン配管を経て排水し、このドレン配管及び上記ドレンパンを洗浄する空気調和装置のドレン配管等洗浄方法において、
上記温水熱交換器との間で温水を循環する熱源機へ供給される給水の一部を上記ドレンパンへ導いて、このドレンパン及び上記ドレン配管を洗浄することを特徴とする空気調和装置のドレン配管等洗浄方法。
【請求項８】
上記ドレンパン及びドレン配管の洗浄は、室内ユニットへ指令信号を送信可能なリモートコントローラの操作スイッチの操作時に実施することを特徴とする請求項７に記載の空気調和装置のドレン配管等洗浄方法。
【発明の詳細な説明】
【０００１】
【発明の属する技術分野】
本発明は、室内ユニットに冷媒熱交換器と温水熱交換器とを備えた空気調和装置に関する。
【０００２】
【従来の技術】
一般に、室内ユニットに冷媒熱交換器と温水熱交換器とを備え、暖房運転時に冷媒熱交換器及び温水熱交換器を共に機能させて、暖房能力を向上させるようにした空気調和装置が知られている。上記冷媒熱交換器と温水熱交換器からのドレンは、ドレン配管が接続されたドレンパンで受け、上記ドレン配管を経て排水されるようになっている。
【０００３】
【発明が解決しようとする課題】
上述のような空気調和装置にあっては、据付後の試運転が自動で実施されるが、ドレン配管が詰まっているか否かの検査は、ドレンパンに注水し、このドレンパンの排水口からドレン配管を経て水が良好に排出されるか否かを、作業者が確認することによって実施される。
【０００４】
また、室内ユニットにおける冷媒熱交換器、温水熱交換器及び送風機等の洗浄は、洗浄剤を使用して実施されることが多い。この洗浄後に洗浄剤がドレンパンやドレン配管に残留して、樹脂製の上記ドレンパン等が劣化したり損傷したりする恐れがある。
【０００５】
請求項1または２に記載の発明の目的は、ドレン配管の詰りを、人手を介することなく良好に検査できる空気調和装置を提供することにある。
【０００６】
また、請求項３または４に記載の発明の目的は、ドレン配管およびドレンパンを良好に洗浄できる空気調和装置を提供することにある。
【０００７】
更に、請求項５または６に記載の発明の目的は、ドレン配管の詰りを、人手を介することなく良好に検査できる空気調和装置のドレン配管詰り検査方法を提供することにある。
【０００８】
また、請求項７または８に記載の発明の目的は、ドレン配管およびドレンパンを良好に洗浄できる空気調和装置のドレン配管等洗浄方法を提供することにある。
【０００９】
【課題を解決するための手段】
請求項１に記載の発明は、室内ユニットが冷媒熱交換器及び温水熱交換器を備え、これらの熱交換器からのドレンを、ドレン配管が接続されたドレンパンで受け、上記ドレン配管を経て排水するよう構成された空気調和装置において、上記温水熱交換器との間で温水を循環する熱源機へ供給される給水の一部を上記ドレンパンへ導水可能とし、このドレンパン内の給水の貯溜量を検出器で検出することにより、上記ドレン配管内の詰りを検査可能に構成されたことを特徴とするものである。
【００１０】
請求項２に記載の発明は、請求項１に記載の発明において、上記ドレン配管の検査は、自動試運転時、または室内ユニットへ指令信号を送信可能なリモートコントローラの操作スイッチの操作時に実施されるよう構成されたことを特徴とするものである。
【００１１】
請求項３に記載の発明は、室内ユニットが冷媒熱交換器及び温水熱交換器を備え、これらの熱交換器からのドレンを、ドレン配管が接続されたドレンパンで受け、上記ドレン配管を経て排水するよう構成された空気調和装置において、上記温水熱交換器との間で温水を循環する熱源機へ供給される給水の一部を、上記ドレンパンへ導水可能に構成されたことを特徴とするものである。
【００１２】
請求項４に記載の発明は、請求項３に記載の発明において、上記ドレンパン及びドレン配管の洗浄は、室内ユニットへ指令信号を送信可能なリモートコントローラの操作スイッチの操作時に実施されるよう構成されたことを特徴とするものである。
【００１３】
請求項５に記載の発明は、室内ユニットが冷媒熱交換器及び温水熱交換器を備え、これらの熱交換器からのドレンを、ドレン配管が接続されたドレンパンで受け、上記ドレン配管を経て排水し、このドレン配管の詰りを検査する空気調和装置のドレン配管詰り検査方法において、上記温水熱交換器との間で温水を循環する熱源機へ供給される給水の一部を上記ドレンパンへ導き、このドレンパン内の給水の貯溜量を検出器で検出することにより、上記ドレン配管内の詰りを検査することを特徴とするものである。
【００１４】
請求項６に記載の発明は、請求項５に記載の発明において、上記ドレン配管の詰り検査は、自動試運転時、または室内ユニットへ指令信号を送信可能なリモートコントローラの操作スイッチの操作時に実施することを特徴とするものである。
【００１５】
請求項７に記載の発明は、室内ユニットが冷媒熱交換器及び温水熱交換器を備え、これらの熱交換器からのドレンを、ドレン配管が接続されたドレンパンで受け、上記ドレン配管を経て排水し、このドレン配管及び上記ドレンパンを洗浄する空気調和装置のドレン配管等洗浄方法において、上記温水熱交換器との間で温水を循環する熱源機へ供給される給水の一部を上記ドレンパンへ導いて、このドレンパン及び上記ドレン配管を洗浄することを特徴とするものである。
【００１６】
請求項８に記載の発明は、請求項７に記載の発明において、上記ドレンパン及びドレン配管の洗浄は、室内ユニットへ指令信号を送信可能なリモートコントローラの操作スイッチの操作時に実施することを特徴とするものである。
【００１７】
請求項１、２、５または６に記載の発明には、次の作用がある。
【００１８】
温水熱交換器との間で温水を循環する熱源機へ供給される給水の一部をドレンパンへ導水可能とし、このドレンパン内の給水の貯溜量を検出器で検出することにより、ドレン配管内の詰りを検査可能に構成されたことから、ドレン配管に詰りが発生している場合には、給水がドレンパン内に貯溜されることになるので、このドレンパン内の給水の貯溜量を検出器が検出することによって、ドレン配管の詰り具合を、人手を介することなく良好に検査できる。
【００１９】
請求項３、４、７または８に記載の発明には、次の作用がある。
【００２０】
温水熱交換器との間で温水を循環する熱源機へ供給される給水の一部を、ドレンパンへ導水可能に構成されたことから、室内ユニットにおける冷媒熱交換器、温水熱交換器または送風機を、洗浄剤を用いて洗浄した後給水をドレンパンへ導くことによって、このドレンパンやドレン配管に残留した洗浄剤を上記給水により排出し、良好に洗浄することができる。
【００２１】
【発明の実施の形態】
以下、本発明の実施の形態を、図面に基づき説明する。
【００２２】
図１は、本発明に係る空気調和装置の一実施の形態を示す回路図である。
【００２３】
この図１に示すように、空気調和装置１０は室外ユニット１１、室内ユニット１２及び給湯ユニット１３を有してなり、室外ユニット１１の室外冷媒配管１４と室内ユニット１２の室内冷媒配管１５とが、連結配管１６及び１７を介して連結されている。
【００２４】
上記室外ユニット１１は室外に配置され、室外冷媒配管１４に圧縮機１８が配設され、この室外冷媒配管１４における圧縮機１８の吸込側にアキュムレータ１９及びマフラ２０が、圧縮機１８の側から順次配設され、また、室外冷媒配管１４における圧縮機１８の吐出側に室外熱交換器２１及び電動膨張弁２２が、圧縮機１８の側から順次配設されて構成される。室外熱交換器２１には、この室外熱交換器２１へ向かって送風する室外ファン（不図示）が隣接して配置されている。
【００２５】
上記室内ユニット１２は室内に設置され、室内冷媒配管１５に室内冷媒熱交換器２３が配設されるとともに、室内温水熱交換器２４を有して構成される。これらの室内冷媒熱交換器２３及び室内温水熱交換器２４により室内熱交換器２５が構成される。また、室内ユニット１２内では、室内熱交換器２５近傍に、この室内熱交換器２５へ室内空気を送風する送風機（クロスフローファン）２６が配置されている（図２参照）。
【００２６】
前記給湯ユニット１３は熱源機２７を有し、この熱源機２７は、熱源機給水配管２８から供給された給水を加熱して温水を作る。この温水は、図示しない蛇口から外部へ放出可能とされるとともに、室内ユニット１２の室内温水熱交換器２４と熱源機２７との間で循環可能とされる。
【００２７】
つまり、熱源機２７と室内温水熱交換器２４は、熱源機２７から室内温水熱交換器２４へ温水を送る温水往き配管２９と、室内温水熱交換器２４から熱源機２７へ温水を戻す温水戻り配管３０とによって接続される。
【００２８】
そして、温水往き配管２９に、この温水往き配管２９内を流れる温水の流量を調整する流量可変弁３１が配設されている。熱源機２７から室内温水熱交換器２４へ温水が供給されることによって、この室内温水熱交換器２４を通過する室内空気が熱交換により加熱される。
【００２９】
図示しない制御装置は、同じく図示しないリモートコントローラ等により冷房運転が選択して指令された場合には、流量可変弁３１を閉弁操作させるとともに、室外ユニット１１の圧縮機１８、室外ファン及びクロスフローファン２６を起動させる。これにより、室内ユニット１２の室内冷媒熱交換器２３が蒸発器として機能し、この室内冷媒熱交換器２３により、室内ユニット１２内へ導かれた室内空気が冷却されて室内を冷房する。
【００３０】
図示しないリモートコントローラ等により暖房運転が選択して指令された場合には、上述したように、圧縮機１８からの冷媒を、室内冷媒熱交換器２３に導いて、この室内冷媒熱交換器２３で凝縮させて室内を暖房するとともに、温水往き配管２９に接続された流量可変弁３１を開弁操作させて、熱源機２７からの温水を室内温水熱交換器２４との間で循環させて、この室内温水熱交換器２４により、クロスフローファン２６によって室内ユニット１２内に導かれた室内空気を加熱して室内を暖房する。
【００３１】
ここで、制御装置は、上述の冷房運転または暖房運転において、室内ユニット１２に設置された室温センサ（不図示）により検出された室内温度が、リモートコントローラ等により設定された設定温度とほぼ一致するように、上記冷房運転または暖房運転を制御する。
【００３２】
図２に示すように、室内ユニット１２は部屋の壁等に取り付けられる。この室内ユニット１２は、主に背面側をリアケーシング３５が覆い、主に前面側をフロントケーシング３６が覆う。これらのリアケーシング３５とフロントケーシング３６とがケーシングを構成し、このケーシングに囲まれた空間内に室内冷媒熱交換器２３、室内温水熱交換器２４及びクロスフローファン２６が収納される。フロントケーシング３６には空気吸込口３７Ａ、３７Ｂ及び３７Ｃが形成されるとともに、このフロントケーシング３６は、リアケーシング３５に対し着脱または開閉可能に構成される。また、リアケーシング３５とフロントケーシング３６との間に空気吹出口３８が形成される。
【００３３】
室内冷媒熱交換器２３は、互いに連結された第１冷媒熱交換器２３Ａ及び第２冷媒熱交換器２３Ｂからなり、共に、ケーシングの内部に形成された前面側空間Ａに配置されている。また、室内温水熱交換器２４は、互いに連結された第１温水熱交換器２４Ａ及び第２温水熱交換器２４Ｂからなり、共に、ケーシング内部に形成された上面側空間Ｂ内に配置される。このうち第１温水熱交換器２４Ａは、第２冷媒熱交換器２３Ｂの上部に隣接して設置され、第２温水熱交換器２４Ｂとの間に隙間が形成されている。
【００３４】
これらの室内冷媒熱交換器２３及び室内温水熱交換器２４の内側にクロスフローファン２６が配置される。また、第１冷媒熱交換器２３Ａ、第２冷媒熱交換器２３Ｂ及び第１温水熱交換器２４Ａのドレンは前面ドレンパン４１で受け、第２温水熱交換器２４Ｂのドレンは背面ドレンパン４３で受けられる。この背面ドレンパン４３は、下り勾配を有した排水路（不図示）を介して前面ドレンパン４１に連通される。
【００３５】
上記室内温水熱交換器２４における第１温水熱交換器２４Ａと第２温水熱交換器２４Ｂとの隙間に、クロスフローファン２６で吸引される空気の流れ方向に沿って気化式加湿器４５が挿入して配置される。この気化式加湿器４５は、第１温水熱交換器２４Ａの幅一杯に延在されたケース４６と、このケース４６内に着脱自在に挿入される加湿フィルタ４７とを備えて構成される。
【００３６】
加湿フィルタ４７は、スポンジ等のように水分を含みやすい材質から構成される。この加湿フィルタ４７を空気が通過する時に、加湿フィルタ４７内の水が自然蒸発されて、空気吹出口３８から室内へ吹き出される空気が加湿される。この加湿は、主に空気調和装置１０の暖房運転時に実施される。
【００３７】
この加湿フィルタ４７へ給水する加湿給水配管４０は、図１及び図３に示すように、熱源機給水配管２８から分岐されたものであり、熱源機給水配管２８へ供給される前の清浄な給水を気化式加湿器４５の加湿フィルタ４７へ導く。また、この加湿給水配管４０には、この加湿給水配管４０内を流れる水の流量を調整する熱動弁４４が配設されている。この熱動弁４４の開度調整により、加湿フィルタ４７へ供給される水の供給量が制御される。
【００３８】
さて、上記前面ドレンパン４１には、図３に示すようにドレン配管４２が接続される。図２に示す室内冷媒熱交換器２３及び第１温水熱交換器２４Ａにて生じ前面ドレンパン４１に貯溜されたドレン、及び第２温水熱交換器２４Ｂにて生じ背面ドレンパン４３を経て前面ドレンパン４１に貯溜されたドレンが、上記ドレン配管４２を通って外部へ排水される。
【００３９】
図２及び図３に示すように、上記前面ドレンパン４１内には、この前面ドレンパン４１内のドレン貯溜量が所定レベルに至ったことを検出する、ドレン検出器４８を備えたドレン検出センサ４９が設置されている。
【００４０】
このドレン検出器４８は、図示しないフォトカプラ・ダイオードを内蔵する。ドレン検出器４８が前面ドレンパン４１に貯溜されたドレンに水没したときに、上記フォトカプラ・ダイオードからの光が水中で屈折し、この屈折角変化により光検知に異常をきたし、前面ドレンパン４１に所定量の水が貯溜されてことを検出する。また、ドレン検出器４８が空気中に露出したときには、上記フォトカプラ・ダイオードからの光の屈折角変化が正常角度に復帰し、光検知が正常化して、前面ドレンパン４１のドレン貯溜量が所定量以下であることが検出される。
【００４１】
また、図１及び図３に示すように、熱源機２７へ水道水を給水として供給する熱源機給水配管２８にはドレンパン給水配管５０が接続される。このドレンパン給水配管５０の先端は、前面ドレンパン４１の排水口５１付近に位置づけられる。また、このドレンパン給水配管５０に分流弁５２が配設される。この分流弁５２の開操作により、ドレンパン給水配管５０を経て、熱源機２７へ供給される水道水の一部が前面ドレンパン４１へ導水可能とされる。
【００４２】
前記制御装置は、自動試運転時、または室内ユニット１２へ指令信号を送信可能なリモートコントローラ（図示せず）の操作スイッチの操作時に、分流弁５２を所定時間、例えば３分間開操作（ほぼ半開）して、前面ドレンパン４１及びドレン配管４２内へ水道水を給水する。この時、前面ドレンパン４１内に水が所定量以上貯溜した場合に、この水量をドレン検出センサ４９が検出して、ドレン配管４２が詰まっている旨の警報が出力可能とされる。
【００４３】
ここで、上記リモートコントローラの操作スイッチは、当該リモートコントローラに設けられた検査専用のスイッチ、または上記検査を誤操作なく実行させる為の複数のスイッチの組み合わせである。
【００４４】
また、前記制御装置は、室内ユニット１２における室内冷媒熱交換器２３（第１冷媒熱交換器２３Ａ及び第２冷媒熱交換器２３Ｂ）、室内温水熱交換器２４（第１温水熱交換器２４Ａ及び第２温水熱交換器２４Ｂ）並びにクロスフローファン２６等を、洗浄剤を用いて洗浄した後、上記リモートコントローラによる操作スイッチの操作時に、分流弁５２を一定時間開操作（全開）して、前面ドレンパン４１及びドレン配管４２内へ水道水を導き、この水道水の圧力により前面ドレンパン４１及びドレン配管４２を洗浄して、これらの前面ドレンパン４１及びドレン配管４２内に残留した上記洗浄剤等を除去可能とする。
【００４５】
ここで、上記リモートコントローラの操作スイッチは、洗浄専用の操作スイッチの他、上記洗浄を誤操作なく実行させるための複数のスイッチの組み合わせである。
【００４６】
従って、上記実施の形態によれば、次の効果▲１▼及び▲２▼を奏する。
【００４７】
▲１▼室内温水熱交換器２４との間で温水を循環する熱源機２７へ、熱源機給水配管２８を経て供給される給水（水道水）の一部を、熱源機給水配管２８に接続されたドレンパン給水配管５０を介して前面ドレンパン４１へ導水可能とし、この前面ドレンパン４１内の水道水の貯溜量をドレン検出センサ４９で検出することにより、前面ドレンパン４１に接続されたドレン配管４２内の詰まり具合を検査可能に構成されたことから、ドレン配管４２に詰まりが発生している場合には、水道水が前面ドレンパン４１内に貯溜されることになるので、この前面ドレンパン４１内の水道水の貯溜量をドレン検出センサ４９が検出することによって、ドレン配管４２の詰まり具合を、人手を介することなく自動試運転中に良好に検査できる。
【００４８】
▲２▼室内温水熱交換器２４との間で温水を循環する熱源機２７へ供給される水道水の一部を、ドレンパン給水配管５０を介して前面ドレンパン４１へ導水可能に構成されたことから、室内ユニット１２における室内冷媒熱交換器２３、室内温水熱交換器２４またはクロスフローファン２６を、洗浄剤を用いて洗浄した後、分流弁５２を全開操作して水道水を前面ドレンパン４１へ導くことにより、この前面ドレンパン４１やドレン配管４２に残留した洗浄剤を上記水道水によって排出し、良好に洗浄することができる。
【００４９】
以上、本発明を上記実施の形態に基づいて説明したが、本発明はこれに限定されるものではない。
【００５０】
例えば、上記ドレン検出センサはフロートセンサであっても良い。また、ドレン配管４２の詰まり具合の検査時、または前面ドレンパン４１及びドレン配管４２の洗浄時に、熱源機２７と室内温水熱交換器２４との間を循環する温水を前面ドレンパン４１等へ導くものでも良い。
【００５１】
【発明の効果】
請求項１または２に記載の発明に係る空気調和装置によれば、ドレン配管の詰まりを、人手を介することなく良好に検査できる。
【００５２】
請求項３または４に記載の発明に係る空気調和装置によれば、ドレン配管及びドレンパンを良好に洗浄できる。
【００５３】
請求項５または６に記載の発明に係る空気調和装置のドレン配管詰まり検査方法によれば、ドレン配管の詰まりを、人手を介することなく良好に検査できる。
【００５４】
請求項７または８に記載の発明に係る空気調和装置のドレン配管等洗浄方法によれば、ドレン配管及びドレンパンを良好に洗浄できる。
【図面の簡単な説明】
【図１】本発明に係る空気調和装置の一実施の形態を示す回路図である。
【図２】図１の空気調和装置における室内ユニットを示す断面図である。
【図３】図１の一部を詳細に示す構成図である。
【符号の説明】
１０  空気調和装置
１２  室内ユニット
２３  室内冷媒熱交換器
２４  室内温水熱交換器
２７  熱源機
２８  熱源機給水配管
４１  前面ドレンパン
４２  ドレン配管
４３  背面ドレンパン
４９  ドレン検出センサ（検出器）
５０  ドレンパン給水配管
５２  分流弁
【図１】
0003723496.tif 000002
【図２】
0003723496.tif 000003
【図３】
0003723496.tif 000004